(57)【要約】【課題】内部に収納する媒体の保護と、容易な仕様の変更とを両立し得るようにする。【解決手段】現金自動預払機１の紙幣収納庫１６は、上カバー部３１及び下カバー部３２の間に扉３３を挟んだ構成とし、上カバー部３１に軸体３５を設け、下カバー部３２に軸孔３８を設け、扉３３に軸孔３６及び軸体３７を設けた。紙幣収納庫１６では、下カバー部３２に対して上カバー部３１を取り外すだけで、該下カバー部３２から該扉３３を直ちに取り外すことができ、他の扉３３を挟んだ状態で上カバー部３１を下カバー部３２に取り付けるだけで、該扉３３を組み替える作業を完了できる。これにより紙幣収納庫１６では、収納すべき紙幣が変更されて短辺の長さが変化した場合、扉３３を交換するだけで収納空間５０における前後方向の長さを容易に変更できる。【選択図】図５
2018185583.tif 000002
【特許請求の範囲】
【請求項１】
媒体を収納する収納空間の周囲における一部分を覆う第１カバー部と、
前記収納空間の周囲における一部分であって、前記第１カバー部と異なる部分を覆う第２カバー部と、
前記第１カバー部及び前記第２カバー部の何れか一方に又は双方に渡って形成され、前記収納空間を外部と連通させる開口部と、
前記第１カバー部に設けられた第１回動支持部と、
前記第２カバー部に設けられた第２回動支持部と、
前記第１回動支持部及び前記第２回動支持部により回動可能に支持され、前記開口部を開放又は閉塞する扉と
を具えることを特徴とする媒体収納庫。
【請求項２】
前記収納空間は、前記扉から該扉と形状の異なる他の扉に交換されると、前記収納空間の大きさが変更される
ことを特徴とする請求項１に記載の媒体収納庫。
【請求項３】
前記扉は、前記第１回動支持部及び前記第２回動支持部によりそれぞれ支持される第１被支持部及び第２被支持部を具え、
前記第１回動支持部及び前記第１被支持部は、何れか一方が軸孔であると共に、他方が該軸孔に挿通される軸体であり、
前記第２回動支持部及び前記第２被支持部は、何れか一方が軸孔であると共に、他方が該軸孔に挿通される軸体である
ことを特徴とする請求項１に記載の媒体収納庫。
【請求項４】
前記第１カバー部は、前記収納空間内と外部との間で受け渡される前記媒体を通過させる通過開口部が形成されている
ことを特徴とする請求項１に記載の媒体収納庫。
【請求項５】
前記通過開口部を介して外部から受け取った前記媒体を前記収納空間内へ放出する放出機能と、前記収納空間内に集積された前記媒体を１枚ずつに分離し前記通過開口部を介して外部へ引き渡す分離機能とのうち、少なくとも一方を有する分離放出部
をさらに具えることを特徴とする請求項４に記載の媒体収納庫。
【請求項６】
前記分離放出部は、前記第１カバー部が取り外された状態において、前記第２カバー部に対して装着又は取り外しが可能である
ことを特徴とする請求項５に記載の媒体収納庫。
【請求項７】
前記分離放出部は、前記収納空間に対し前記通過開口部側に配置され、
前記第１カバー部及び前記第２カバー部の境界線は、前記収納空間よりも前記通過開口部側に形成されている
ことを特徴とする請求項５に記載の媒体収納庫。
【請求項８】
取引対象となる媒体を収納する媒体収納庫と、
前記媒体収納庫から繰り出された前記媒体又は前記媒体収納庫へ収納される前記媒体を搬送する搬送部と、
前記媒体収納庫及び前記搬送部を制御する制御部と
を具える媒体取引装置であって、
前記媒体収納庫は、
前記媒体を収納する収納空間の周囲における一部分を覆う第１カバー部と、
前記収納空間の周囲における一部分であって、前記第１カバー部と異なる部分を覆う第２カバー部と、
前記第１カバー部及び前記第２カバー部の何れか一方に又は双方に渡って形成され、前記収納空間を外部と連通させる開口部と、
前記第１カバー部に設けられた第１回動支持部と、
前記第２カバー部に設けられた第２回動支持部と、
前記第１回動支持部及び前記第２回動支持部により回動可能に支持され、前記開口部を開放又は閉塞する扉と
を具えることを特徴とする媒体取引装置。
【請求項９】
前記媒体収納庫は、前記第１カバー部に形成された通過開口部を介して外部から受け取った前記媒体を前記収納空間内へ放出する放出機能と、前記収納空間内に集積された前記媒体を１枚ずつに分離し前記通過開口部を介して外部へ引き渡す分離機能とのうち、少なくとも一方を有する分離放出部を具え、
前記制御部は、取引処理を行う前に、前記媒体収納庫に装着された前記分離放出部における前記分離機能及び前記放出機能の有無を確認する
ことを特徴とする請求項８に記載の媒体取引装置。
【発明の詳細な説明】
【技術分野】
【０００１】
本発明は媒体収納庫及び媒体取引装置に関し、例えば顧客に紙幣等の媒体を投入させて所望の取引を行う現金自動預払機（ＡＴＭ：Automatic Teller Machine）に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するものが広く普及している。現金自動預払機は、例えば顧客との間で紙幣の授受を行う紙幣入出金口と、投入された紙幣の金種及び真偽を鑑別する鑑別部と、投入された紙幣を搬送する搬送部と、金種ごとに紙幣を収納する紙幣収納庫とを有するものがある。
【０００３】
このうち紙幣収納庫は、例えばその内部に紙幣を集積して収納するための収納空間と、該収納空間内へ紙幣を放出する放出機能及び該収納空間内に収納された紙幣を１枚ずつに分離する分離機能を有する分離放出部とを有している。例えば紙幣収納庫は、入金取引において、搬送部により搬送されてきた紙幣を受け取り、放出機能により収納空間内へ放出して、集積された状態で収納する。また紙幣収納庫は、出金取引において、収納空間内に集積されている紙幣を分離機能によって１枚ずつに分離して繰り出し、搬送部に引き渡す。
【０００４】
また紙幣収納庫は、現金自動預払機の本体に対して着脱可能に構成されており、例えば
収納空間内に収納されている紙幣の枚数が所定枚数以下に減少すると、該本体から取り外され、これに代えて十分な枚数の紙幣が収納された紙幣収納庫が装着される。このとき取り外された紙幣収納庫は、例えば所定箇所へ運搬され、紙幣収納庫内に新たな紙幣が収納される。
【０００５】
これに伴い紙幣収納庫には、収納空間を外部と連通させる開口部が形成されると共に、この開口部を開放又は閉塞する扉が設けられる。この扉は、例えば所定の回動軸や軸受等が適宜設けられることにより、紙幣収納庫の筐体に対して回動可能に支持されている。
【０００６】
このような紙幣収納庫として、例えば中空の直方体から後側面を省略した前筐体と、中空の直方体から前側面を省略した後筐体とを組み合わせて収納空間が形成され、さらに分離放出部等が組み込まれると共に、開閉可能な扉が設けられたものが提案されている（例えば、特許文献１参照）。
【先行技術文献】
【特許文献】
【０００７】
【特許文献１】特開２０１５−２１５７９０号公報（図５等）
【発明の概要】
【発明が解決しようとする課題】
【０００８】
一般に紙幣は、発行された国や地域によってその大きさが異なっている。これに応じて紙幣収納庫は、収納空間内へ放出された紙幣を整然と集積する観点から、該収納空間の大きさを、収納する紙幣の大きさに合わせることが望ましい。このため紙幣収納庫では、その製造時に、出荷される国や地域に応じて、収納すべき紙幣の大きさに合わせることが考えられる。
【０００９】
その一方で紙幣収納庫では、出荷される国や地域に拘わらず、部品をできるだけ共通化することにより、製造コストを低減することが求められる。そこで上述した紙幣収納庫では、例えば各種機構が組み込まれた後筐体を共通化する一方、前筐体について前後長が異なる複数種類を用意し、この前筐体を交換することにより、収納空間の前後長、すなわち収納空間の大きさを変更することが考えられる。これらの前筐体では、それぞれの開口部の形状を共通化することにより、上述した扉や回動軸、或いは軸受等も共通化することができる。
【００１０】
しかしながら、このような構成の紙幣収納庫では、一度組み立てた紙幣収納庫における収納空間の大きさを変更する場合、すなわち前筐体を交換する場合、後筐体から前筐体を取り外した上で、該前筐体から扉、回動軸及び軸受を取り外して新たな前筐体に取り付ける作業も必要となる。すなわち紙幣収納庫では、収納空間の大きさを変更するといった仕様の変更に対して、様々な部品の着脱を必要とするため、繁雑な作業を強いてしまう、という問題があった。
【００１１】
本発明は以上の点を考慮してなされたもので、内部に収納する媒体の保護と、容易な仕様の変更とを両立し得る媒体収納庫及び媒体取引装置を提案しようとするものである。
【課題を解決するための手段】
【００１２】
かかる課題を解決するため本発明の媒体収納庫においては、媒体を収納する収納空間の周囲における一部分を覆う第１カバー部と、収納空間の周囲における一部分であって、第１カバー部と異なる部分を覆う第２カバー部と、第１カバー部及び第２カバー部の何れか一方に又は双方に渡って形成され、収納空間を外部と連通させる開口部と、第１カバー部に設けられた第１回動支持部と、第２カバー部に設けられた第２回動支持部と、第１回動支持部及び第２回動支持部により回動可能に支持され、開口部を開放又は閉塞する扉とを設けるようにした。
【００１３】
また本発明の媒体取引装置においては、取引対象となる媒体を収納する媒体収納庫と、媒体収納庫から繰り出された媒体又は媒体収納庫へ収納される媒体を搬送する搬送部と、媒体収納庫及び搬送部を制御する制御部とを有する媒体取引装置であって、媒体収納庫には、媒体を収納する収納空間の周囲における一部分を覆う第１カバー部と、収納空間の周囲における一部分であって、第１カバー部と異なる部分を覆う第２カバー部と、第１カバー部及び第２カバー部の何れか一方に又は双方に渡って形成され、収納空間を外部と連通させる開口部と、第１カバー部に設けられた第１回動支持部と、第２カバー部に設けられた第２回動支持部と、第１回動支持部及び第２回動支持部により回動可能に支持され、開口部を開放又は閉塞する扉とを設けるようにした。
【００１４】
本発明は、媒体を収納する収納空間の開口部を開閉する扉を、第１回動支持部及び第２回動支持部により回動可能に支持できる。これに加えて本発明は、第２カバー部から第１カバー部を取り外すことにより、第１回動支持部も扉から引き離すことができるので、直ちに該扉を第２カバー部から取り外して他の扉に交換し、収納空間の大きさを変更することができる。
【発明の効果】
【００１５】
本発明によれば、内部に収納する媒体の保護と、容易な仕様の変更とを両立し得る媒体収納庫及び媒体取引装置を実現できる。
【図面の簡単な説明】
【００１６】
【図１】現金自動預払機の構成を示す略線的斜視図である。
【図２】紙幣入出金機の構成を示す略線図である。
【図３】搬送部の構成を示す略線図である。
【図４】第１の実施の形態による紙幣収納庫の構成を示す略線図である。
【図５】第１の実施の形態による紙幣収納庫の分解及び組立を示す略線図である。
【図６】第１の実施の形態による紙幣収納庫の扉を交換した構成を示す略線図である。
【図７】第１の実施の形態による紙幣収納庫における扉及び収納空間の比較を示す略線図である。
【図８】仮想的な紙幣収納庫の構成を示す略線図である。
【図９】仮想的な紙幣収納庫の分解及び組立を示す略線図である。
【図１０】仮想的な紙幣収納庫における前カバー部の比較を示す略線図である。
【図１１】第２の実施の形態による紙幣収納庫の構成を示す略線図である。
【図１２】第２の実施の形態による紙幣収納庫の分解及び組立を示す略線図である。
【発明を実施するための形態】
【００１７】
以下、発明を実施するための形態（以下実施の形態とする）について、図面を用いて説明する。
【００１８】
［１．第１の実施の形態］
［１−１．現金自動預払機及び紙幣入出金機の構成］
図１に外観を示すように、媒体取引装置としての現金自動預払機１は、箱状の筐体２を中心に構成されており、例えば金融機関等に設置され、利用者（すなわち金融機関等の顧客）との間で入金処理や出金処理等の現金に関する取引を行うようになっている。
【００１９】
筐体２は、その前側に顧客が対峙した状態で紙幣の投入やタッチパネルによる操作等をしやすい箇所に顧客応対部３が設けられている。顧客応対部３は、顧客との間で例えば現金やカード等を直接やり取りすると共に、取引に関する情報の通知や操作指示の受付を行うようになされており、カード入出口４、入出金口５、操作表示部６、テンキー７、及びレシート発行口８が設けられている。
【００２０】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客によって入金される紙幣が投入されると共に、顧客へ出金する紙幣が排出される。また入出金口５は、シャッタを駆動することにより開放又は閉塞するようになっている。因みに紙幣は、例えば長方形の紙により、紙葉状に形成されている。
【００２１】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２２】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２３】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２４】
紙幣入出金機１０は、図２に側面図を示すように、内部に媒体としての紙幣に関する種々の処理を行う複数の部分が組み込まれている。紙幣入出金機１０は、大きく分けて、上下方向のほぼ中央よりも上側部分を占める上部ユニット１０Ｕと、その下側部分を占める下部ユニット１０Ｌとにより構成されている。
【００２５】
上部ユニット１０Ｕには、全体を統括制御する紙幣制御部１１、顧客との間で紙幣を授受する入出金部１２、紙幣を各部へ搬送する搬送部１３、紙幣を鑑別する鑑別部１４及び紙幣を一時的に収納する一時保留部１５が設けられている。
【００２６】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２７】
入出金部１２は、上部ユニット１０Ｕ内における前上部に位置している。この入出金部１２は、顧客から受け取った紙幣及び顧客へ引き渡す紙幣を収容する収容器１２Ａを内部に有しており、その上方をシャッタ１２Ｂにより開閉し得るようになっている。収容器１２Ａ内には、複数の紙幣が紙面を前後方向に向けて集積された状態で収容される。この入出金部１２は、収容器１２Ａ内の紙幣を１枚ずつに分離して搬送部１３に引き渡し、また搬送部１３から受け取った紙幣を収容器１２Ａ内へ放出して集積させる。
【００２８】
搬送部１３は、上部ユニット１０Ｕ内における下端部分に位置しており、全体的に上下方向に薄く前後方向に細長い形状となっている。この搬送部１３内には、紙幣を案内する搬送ガイドや多数の回転するローラ等が適宜配置されており、紙幣の短辺を進行方向に沿わせて、主に前後方向へ搬送させるような直線状の搬送路が形成されている。
【００２９】
搬送部１３は、図３に拡大図を示すように、大きく分けて、中央付近に配置された一時保留切替部２０と、当該一時保留切替部２０の前側及び後側にそれぞれ配置された前搬送部２１及び後搬送部２２により構成されている。一時保留切替部２０は、紙幣制御部１１の制御に基づき、前搬送部２１、後搬送部２２及び一時保留部１５の間で紙幣を搬送するよう、紙幣の搬送経路を切り替える。
【００３０】
前搬送部２１内には、前方から順に、リジェクト切替部２４、鑑別部１４及び切替部２５が直列に配置されており、前後方向に沿った概ね直線状の前搬送路２１Ｙが形成されている。後搬送部２２内には、後方から順に、切替部２７、２８及び２９がほぼ直列に配置されており、前後方向に沿った概ね直線状の後搬送路２２Ｙが形成されている。各切替部は、紙幣制御部１１の制御に基づき、紙幣の搬送経路を適宜切り替える。また前搬送部２１及び後搬送部２２は、それぞれ搬送路中に数枚程度の紙幣を貯留し得るようになっている。
【００３１】
鑑別部１４は、前搬送部２１内に組み込まれており、紙幣の搬送経路上で入出金部１２と一時保留切替部２０との間に位置している。この鑑別部１４は、内部に厚みセンサ、イメージセンサ及び磁気センサといった複数種類のセンサが組み込まれており、搬送される紙幣の金種、真偽、正損（損傷しているか否か）等を認識し、その認識結果を紙幣制御部１１へ送出する。
【００３２】
一時保留部１５（図２）は、いわゆるテープエスクロ方式を採用しており、円筒状のドラムの周側面に紙幣をテープと共に巻き付けることにより当該紙幣を収納し、またこの周側面から当該テープと共に紙幣を引き剥がすことにより該紙幣を繰り出す。
【００３３】
下部ユニット１０Ｌは、その全ての周側面が頑強な金庫筐体１０Ｓにより覆われている。この金庫筐体１０Ｓの内部には、後側から前側へ向けて、５個の紙幣収納庫１６並びにリジェクト庫１７が設けられている。
【００３４】
因みに下部ユニット１０Ｌには、紙幣収納庫１６及びリジェクト庫１７を上方向から装填するためのスロットが複数形成された装填部（図示せず）が設けられており、この装填部が所定のスライドレール（図示せず）を介して金庫筐体１０Ｓに取り付けられている。このため下部ユニット１０Ｌでは、装填部を前後方向へスライドさせて金庫筐体１０Ｓの外部に引き出した状態で、この装填部に対し紙幣収納庫１６及びリジェクト庫１７を着脱させることができる。
【００３５】
各紙幣収納庫１６は、上下方向に長い直方体状に形成されると共に内部に紙幣を集積して収納する空間を有している。また各紙幣収納庫１６は、それぞれ収納すべき紙幣の金種が予め設定されている。この紙幣収納庫１６は、搬送部１３から紙幣を受け取ると、これを内部に集積して収納する。また紙幣収納庫１６は、紙幣制御部１１から紙幣を繰り出す指示を受け付けると、集積している紙幣を１枚ずつに分離して繰り出し、搬送部１３に引き渡す（詳しくは後述する）。
【００３６】
リジェクト庫１７は、上下方向に長い直方体状に形成されると共に内部に紙幣を集積して収納する空間を有している。このリジェクト庫１７は、鑑別部１４及び紙幣制御部１１により損傷の程度が大きく再利用すべきで無いと判断された紙幣（いわゆるリジェクト紙幣）が搬送部１３により搬送されてくると、当該紙幣を内部に収納する。
【００３７】
［１−２．紙幣入出金機における入金処理及び出金処理］
次に、現金自動預払機１により顧客との間で入金取引及び出金取引が行われる場合における、紙幣入出金機１０内での入金処理及び出金処理について、それぞれ説明する。
【００３８】
［１−２−１．入金処理］
紙幣入出金機１０（図２）は、入金処理において、紙幣制御部１１の制御に基づき、まず入金された紙幣の金種等を鑑別しながら枚数を計数する入金計数処理を行い、次に紙幣を適切な収納箇所へ搬送して収納する入金収納処理を行うようになっている。
【００３９】
具体的に紙幣制御部１１は、例えば顧客により操作表示部６（図１）を介して入金取引を開始する旨の操作入力を受け付けると、入金計数処理を開始し、顧客に入出金部１２の収容器１２Ａへ紙幣を投入させ、これを１枚ずつに分離して取り込み、搬送部１３へ順次引き渡す。搬送部１３は、入出金部１２から受け取った紙幣を前搬送部２１により後方へ順次搬送しながら、鑑別部１４により各紙幣を順次鑑別させ、一時保留切替部２０へ順次引き渡す。このとき鑑別部１４は、得られた鑑別結果を紙幣制御部１１へ送出する。
【００４０】
紙幣制御部１１は、取得した鑑別結果を基に、各紙幣における損傷の程度や金種、或いは真偽を判断する。次に紙幣制御部１１は、各紙幣について、正常な紙幣として認識できた場合は以降の処理を継続できる入金受入紙幣であると判断し、正常な紙幣として認識できない場合は、一度顧客に返却すべき入金リジェクト紙幣であると判断する。さらに紙幣制御部１１は、入金受入紙幣について、正常であり再利用可能な紙幣については金種ごとの各紙幣収納庫１６を、損傷の程度が大きいリジェクト紙幣についてはリジェクト庫１７を、それぞれ最終的な搬送先として決定する。
【００４１】
続いて紙幣制御部１１は、前搬送部２１から一時保留切替部２０へ引き渡される紙幣の判断結果に応じて、入金受入紙幣であれば一時保留部１５へ搬送して収納させ、入金リジェクト紙幣であれば後搬送部２２内へ進行させて後搬送路２２Ｙ内に貯留させる。やがて紙幣制御部１１は、入出金部１２の収容器１２Ａから全ての紙幣を取り込み終えると、後搬送部２２の後搬送路２２Ｙ内に入金リジェクト紙幣が貯留されていれば、これを顧客に返却する。これにより紙幣制御部１１は、紙幣を前搬送部２１経由で入出金部１２へ搬送して顧客に返却し、紙幣の状態を確認させ、必要に応じて再投入させる。一方、紙幣制御部１１は、後搬送部２２の後搬送路２２Ｙ内に入金リジェクト紙幣が貯留されていなければ、入金計数処理を完了する。
【００４２】
このとき紙幣制御部１１は、入出金部１２から取り込んだ紙幣の金種及び枚数の集計結果を基に入金額を算出すると共に、所定の操作指示画面を操作表示部６（図１）に表示し、この入金額を顧客に提示すると共に入金取引を継続するか否かを選択させる。ここで紙幣制御部１１は、顧客により入金取引の中止が指示された場合、一時保留部１５に保留している全ての紙幣を搬送部１３により入出金部１２へ搬送して顧客に返却する。
【００４３】
一方、紙幣制御部１１は、顧客により入金取引の継続が指示された場合、入金収納処理を開始する。具体的に紙幣制御部１１は、まず一時保留部１５において操出処理を開始し、収納している紙幣（入金受入紙幣）を順次繰り出し、一時保留切替部２０へ引き渡す。このとき紙幣制御部１１は、入金計数処理において決定された紙幣毎の搬送先に応じて、一時保留切替部２０や各切替部における紙幣の搬送経路を適宜切り替えることにより、各紙幣をそれぞれの搬送先へ搬送して収納させる。これにより紙幣制御部１１は、再利用すべき通常の紙幣を金種ごとに分類して各紙幣収納庫１６に収納でき、また再利用すべきで無いリジェクト紙幣をリジェクト庫１７に収納できる。
【００４４】
［１−２−２．出金処理］
また紙幣入出金機１０（図２）は、出金処理において、紙幣制御部１１の制御に基づき、顧客に指定された出金額に応じて紙幣を出金する出金処理を行うようになっている。紙幣制御部１１は、顧客から操作表示部６（図１）を介して出金額を含む所定の操作入力を受け付け、出金額に応じた紙幣の金種及び枚数を決定する。続いて紙幣制御部１１は、決定した金種及び枚数に応じて、各紙幣収納庫１６内に収納されている紙幣を順次繰り出し、搬送部１３に順次引き渡す。
【００４５】
搬送部１３は、前搬送部２１内を前方へ向けて進行する紙幣の走行状態を鑑別部１４により鑑別し、その鑑別結果を紙幣制御部１１へ送出する。紙幣制御部１１は、紙幣の走行状態に応じてリジェクト切替部２４を切り替え、当該走行状態に問題が無ければ入出金部１２へ進行させ、例えば重送のように搬送状態に問題があればリジェクト庫１７へ進行させて、それぞれ紙幣を収納させる。やがて紙幣制御部１１は、出金額に応じた全ての紙幣を入出金部１２へ搬送し終えると、シャッタ１２Ｂ等を開放して顧客に取り出させる。
【００４６】
［１−３．紙幣収納庫の基本構成］
次に、紙幣収納庫１６の基本的な構成について説明する。図４（Ａ）及び（Ｂ）に左側面図及び平面図を示すように、紙幣収納庫１６は、全体として直方体状に形成されており、その上面及びその近傍が上カバー部３１により覆われると共に、該上カバー部３１よりも下側の部分であって前面近傍以外の部分が下カバー部３２により覆われている。さらに下カバー部３２の前側には、扉３３Ａが設けられている。すなわち紙幣収納庫１６は、上カバー部３１、下カバー部３２及び扉３３Ａにより、その周囲が覆われている。
【００４７】
第１カバー部としての上カバー部３１は、中空の直方体における下面側を開放したような形状となっている。また上カバー部３１の上面における後寄りには、左右方向に細長い長方形状でなり、内部の空間と外部とを連通させる孔部３１Ｈが形成されている。説明の都合上、以下ではこの孔部３１Ｈを通過開口部とも呼ぶ。
【００４８】
さらに上カバー部３１の下面における前右端近傍には、軸体３５が設けられている。この軸体３５は、上下方向に沿った仮想的な直線である仮想直線Ｃ１を中心軸とする細長い円柱状の突起として形成されており、上カバー部３１の下面から下方へ向けて立設されている。因みに上カバー部３１は、下カバー部３２に対し、直接又は所定の取付部品（図示せず）を介して、数本のねじ（図示せず）等によって取り付けられている。
【００４９】
第２カバー部としての下カバー部３２は、中空の直方体における前側面のうち下端近傍以外の部分と上側面とを開放したような形状となっている。このため紙幣収納庫１６では、下カバー部３２に上カバー部３１が取り付けられた状態において、その前側に比較的大きく開放された開口部３０が形成される。因みに下カバー部３２における左右方向及び前後方向の長さは、上カバー部３１とほぼ同等となっている。一方、下カバー部３２における上下方向の長さは、上カバー部３１よりも十分に長くなっている。
【００５０】
また下カバー部３２は、左側面及び右側面のうち前端近傍の部分が、下端近傍を除いて僅かに後方へえぐられている。これにより下カバー部３２は、その前側において、下端近傍のみが他の部分よりも前方へ突出したような形状となっている。以下では、この前方へ突出したような形状の部分を前突出部３２Ｐと呼ぶ。
【００５１】
さらに下カバー部３２の前突出部３２Ｐにおける上面の右端近傍には、軸孔３８が形成されている。軸孔３８は、仮想直線Ｃ１を中心軸とする細長い丸孔となっている。すなわち軸孔３８は、上カバー部３１における軸体３５のほぼ真下に位置している。また軸孔３８の直径は、軸体３５の直径よりも僅かに大きくなっている。
【００５２】
因みに下カバー部３２は、上述したように、その下端近傍における前後方向の長さが、上カバー部３１における前後方向の長さとほぼ同等となっている。このため下カバー部３２は、下端近傍以外の部分における前後方向の長さが、上カバー部３１における前後方向の長さよりも短くなっている。これに伴い、下カバー部３２における左側面及び右側面の前端は、軸体３５及び軸孔３８よりもやや後方に位置している。
【００５３】
扉３３Ａは、前後方向に薄い中空の直方体における後面を開放したような形状となっている。扉３３Ａにおける左右方向の長さは、下カバー部３２よりも僅かに短くなっている。また扉３３Ａにおける上下方向の長さは、下カバー部３２における前突出部３２Ｐを除いた部分、すなわち後方へえぐられた部分における上下方向の長さよりも僅かに短くなっている。さらに扉３３Ａにおける前後方向の長さは、下カバー部３２の前突出部３２Ｐにおける前後方向の長さよりも十分に長くなっている。
【００５４】
扉３３Ａの上面における後右端近傍には、下カバー部３２の軸孔３８と同様の形状でなる軸孔３６が形成されている。また扉３３Ａの下面における後右端近傍には、上カバー部３１の軸体３５と同様の形状でなる軸体３７が下方へ向けて立設されている。この軸体３７の中心軸は、軸孔３６の中心軸の真下に位置している。
【００５５】
さらに扉３３Ａは、軸体３７を下カバー部３２の軸孔３８に挿通させると共に、軸孔３６に上カバー部３１の軸体３５が挿通されている。このため扉３３Ａは、上カバー部３１及び下カバー部３２に対して、軸体３５及び軸孔３８の中心軸である仮想直線Ｃ１を中心として、図４（Ｂ）の矢印Ｒ１方向（すなわち反時計回り）又は矢印Ｒ２方向（すなわち時計回り）に回動することができる。
【００５６】
説明の都合上、以下では軸体３５及び軸孔３６を組み合わせて上回動部４１と呼び、軸体３７及び軸孔３８を組み合わせて下回動部４２と呼ぶ。さらに、上回動部４１のうち上カバー部３１側に設けられている軸体３５を第１回動支持部とも呼び、軸孔３６を第１被支持部とも呼び、下回動部４２のうち下カバー部３２側に設けられている軸孔３８を第２回動支持部とも呼び、軸体３７を第２被支持部とも呼ぶ。そうすると扉３３Ａは、上カバー部３１の第１回動支持部と、下カバー部３２の第２回動支持部とにより、第１被支持部及び第２被支持部を介して、回動可能に支持されていることになる。
【００５７】
扉３３Ａは、図４（Ｂ）に実線で示したように、その後面を下カバー部３２の前面に近接させた状態において、開口部３０を閉塞して、該下カバー部３２の内部を外部から遮蔽することができる。以下、これを閉塞状態と呼ぶ。また扉３３Ａは、図４（Ｂ）に破線で示したように、閉塞状態から矢印Ｒ１方向へ回動されてその後面を下カバー部３２の前面から引き離した状態において、開口部３０を開放して、該下カバー部３２の内部を外部と連通させることができる。以下、これを開放状態と呼ぶ。
【００５８】
因みに扉３３Ａの前面における左端近傍又は左側面には、図示しない錠が設けられており、図示しない鍵が用いられることにより、施錠又は解錠されるようになっている。この錠には、所定の係合体が設けられており、閉塞状態において施錠されたときに、下カバー部３２に設けられた被係合体（図示せず）と係合し、解錠されたときに、この被係合体との係合を解消するようになっている。
【００５９】
さらに紙幣収納庫１６における上カバー部３１及び下カバー部３２の内部には、収納機構部４５及び分離放出部４６が設けられている。収納機構部４５は、下カバー部３２内における下側から約２／３乃至３／４の範囲を占めている。この収納機構部４５は、紙幣を集積した状態で載置する板状のステージや、このステージを上下方向へ移動させるためのステージ移動機構、或いは各方向に関して紙幣を収納する空間の大きさを規制するガイド等（何れも図示せず）により構成されている。さらに収納機構部４５は、主に後側の約１／３の範囲に種々の部品が組み込まれており、後内側面４５Ｒよりも前側の約２／３の範囲であって、且つ左右の両端近傍を除いた部分に空間が形成されている。
【００６０】
一方、扉３３Ａは、上述したように中空の直方体状であり、その内部に形成された前内側面３３ＡＦよりも後側に、空間が形成されている。このため紙幣収納庫１６は、扉３３Ａが閉塞状態であるときに、後内側面４５Ｒ及び前内側面３３ＡＦの間に直方体状の空間（以下これを収納空間５０Ａと呼ぶ）を形成する。この収納空間５０Ａは、後述するように、紙幣を収納するための空間となる。
【００６１】
分離放出部４６は、下カバー部３２の内部における上側から約１／３乃至１／４の範囲と、上カバー部３１の内部とに渡る部分、すなわち収納機構部４５の上側に隣接する箇所に位置している。換言すれば、上カバー部３１及び下カバー部３２の境界線を表す仮想的な直線Ｌ１は、分離放出部４６の下端よりも上側に位置している。
【００６２】
また分離放出部４６には、上カバー部３１の孔部３１Ｈ内に受渡部４６Ｄが設けられている。この受渡部４６Ｄは、搬送部１３（図２及び図３）との間で、上カバー部３１の孔部３１Ｈを介して紙幣を案内することにより、該紙幣を円滑に受け渡し得るようになっている。また分離放出部４６の下面は、収納空間５０Ａにおける上側の範囲を規制している。
【００６３】
この分離放出部４６には、紙幣を搬送する搬送機構や、複数のローラ等（図示せず）が適宜組み込まれている。分離放出部４６は、紙幣制御部１１（図２）の制御に従い、放出動作及び分離動作を行い得るようになっている。例えば分離放出部４６は、放出動作を行う場合、搬送部１３（図２）から受渡部４６Ｄを介して受け取り、この紙幣を下方へ搬送して収納空間５０Ａ内へ放出して、該紙幣の紙面を上下に向けた姿勢で収納機構部４５のステージ（図示せず）上に集積させる。また分離放出部４６は、分離動作を行う場合、収納機構部４５によりステージ（図示せず）上に集積されている紙幣が下方から押し付けられた状態で、この紙幣を１枚ずつに分離し、上方へ搬送して受渡部４６Ｄから搬送部１３（図２）へ引き渡す。
【００６４】
また分離放出部４６には、搬送される紙幣を検出し、或いは各種ローラ等の回転を検出するための種々のセンサが適宜組み込まれている。分離放出部４６は、各センサによる検出結果を基に所定の検出信号を生成し、これを紙幣制御部１１へ送信する。これに応じて紙幣制御部１１は、紙幣収納庫１６の分離放出部４６における各部の動作の状態を把握することができる。
【００６５】
［１−４．紙幣収納庫の構成変更］
上述したように紙幣収納庫１６は、下カバー部３２に対して上カバー部３１が数本のねじ（図示せず）等によって取り付けられている。このため紙幣収納庫１６は、このねじが取り外されることにより、図５に示すように、該下カバー部３２から該上カバー部３１を容易に分離することができる。このとき紙幣収納庫１６では、上カバー部３１の軸体３５が扉３３Ａの軸孔３６から引き抜かれるため、下カバー部３２の軸孔３８から該扉３３Ａの軸体３７を引き抜くことにより、該下カバー部３２から扉３３Ａを容易に取り外すことができる。
【００６６】
また紙幣収納庫１６には、図５に示すように、扉３３Ａと互換性を有する構成の扉３３Ｂが用意されている。この扉３３Ｂは、扉３３Ａと比較して、前後方向の長さが約１／２〜１／３程度に短くなっている点において相違するものの、他の点については同様に構成されている。
【００６７】
このため紙幣収納庫１６は、扉３３Ａに代えて扉３３Ｂを用いて組み立てることができる。例えば紙幣収納庫１６は、下カバー部３２から上カバー部３１及び扉３３Ａが取り外された状態で（図５）、該下カバー部３２の軸孔３８に扉３３Ｂの軸体３７が挿入され、上カバー部３１の軸体３５が扉３３Ｂの軸孔３６に挿入された状態で、該上カバー部３１が該下カバー部３２に取り付けられる。
【００６８】
このように組み立てられた紙幣収納庫１６は、図４（Ａ）と対応する図６に示すように、扉３３Ｂの前面が、上カバー部３１の前面や下カバー部３２における前突出部３２Ｐの前面とほぼ連続した平面を形成している。
【００６９】
説明の都合上、以下では、扉３３Ａを有する紙幣収納庫１６（図４（Ａ））を紙幣収納庫１６Ａとも呼び、また扉３３Ｂを有する紙幣収納庫１６（図６）を紙幣収納庫１６Ｂとも呼ぶ。さらに以下では、紙幣収納庫１６Ｂにおいて、扉３３Ｂの前内側面３３ＢＦ及び収納機構部４５の後内側面４５Ｒの間に形成される空間を収納空間５０Ｂと呼ぶ。
【００７０】
ここで、紙幣収納庫１６Ａ及び１６Ｂを比較するべく、図７に示すように、扉３３Ａを実線により表すと共に、扉３３Ｂを破線により重ねて表す。この図７から分かるように、紙幣収納庫１６（１６Ａ又は１６Ｂ）では、扉３３Ｂにおける前内側面３３ＢＦの位置が、扉３３Ａにおける前内側面３３ＡＦの位置よりも後側に位置する。
【００７１】
この結果、紙幣収納庫１６では、紙幣収納庫１６Ａにおける収納空間５０Ａの前後長ＬＡよりも、紙幣収納庫１６Ｂにおける収納空間５０Ｂの前後長ＬＢの方が、十分に短くなっている。これを換言すれば、紙幣収納庫１６（１６Ａ又は１６Ｂ）では、扉３３（３３Ａ又は３３Ｂ）を交換することにより、収納空間５０（５０Ａ又は５０Ｂ）の大きさ、具体的には前後長（ＬＡ又はＬＢ）を変更することができる。
【００７２】
［１−５．動作及び効果］
以上の構成において、第１の実施の形態による現金自動預払機１の紙幣収納庫１６は、上カバー部３１及び下カバー部３２の間に扉３３（３３Ａ又は３３Ｂ）を挟んだ構成とし、該下カバー部３２から該上カバー部３１を取り外すことにより、扉３３を交換し得るようにした。
【００７３】
ここで、図４（Ａ）及び（Ｂ）と対応する図８（Ａ）及び（Ｂ）に示すように、仮想的な紙幣収納庫７６を想定する。この仮想的な紙幣収納庫７６は、第１の実施の形態による紙幣収納庫１６の上カバー部３１及び下カバー部３２に代えて、前側の前カバー部８１Ａ及び後側の後カバー部８２を有している。後カバー部８２には、紙幣収納庫１６と同様の収納機構部４５及び分離放出部４６がそれぞれ取り付けられている。
【００７４】
前カバー部８１Ａの前面には、開口部３０と対応する開口部８０が形成されている。また前カバー部８１Ａには、前左端近傍における上端近傍及び下端近傍に、それぞれ軸受８５が取り付けられ、この２個の軸受８５により細長い円柱状の軸体８６を回動可能に支持している。軸体８６は、扉３３と対応する扉８３が挿通されている。すなわち扉８３は、軸体８６及び軸受８５を介して前カバー部８１Ａに対して回動でき、これにより開口部８０を閉塞又は開放することができる。
【００７５】
この仮想的な紙幣収納庫７６は、所定のねじ（図示せず）を取り外すことにより、図９に示すように、後カバー部８２に対して前カバー部８１Ａを分離することができる。また紙幣収納庫７６には、図１０に示すように、前カバー部８１Ａよりも前後方向の長さが短い前カバー部８１Ｂも用意されている。すなわち紙幣収納庫７６は、前カバー部８１（８１Ａ又は８１Ｂ）を交換することにより、内部に形成される収納空間の大きさ、具体的には前後方向の長さを変更することができる。
【００７６】
しかしながら仮想的な紙幣収納庫７６では、前カバー部８１（８１Ａ又は８１Ｂ）を交換する場合であっても、他の部品、すなわち２個の軸受８５、軸体８６及び扉８３を、有効利用等の観点から、交換せずにそのまま使用する。このため仮想的な紙幣収納庫７６では、例えば前カバー部８１Ａから前カバー部８１Ｂに交換する場合、前カバー部８１Ａから２個の軸受８５、軸体８６及び扉８３を取り外した上で、これらを前カバー部８１Ｂに取り付ける、といった繁雑な作業が必要となってしまう。
【００７７】
これに対して本実施の形態による紙幣収納庫１６（図４〜図６）では、上カバー部３１及び下カバー部３２を仮想的な直線Ｌ１に沿って上下に分割し得るように構成し、且つ上カバー部３１に軸体３５を設け、下カバー部３２に軸孔３８を設け、扉３３（３３Ａ及び３３Ｂ）に軸孔３６及び軸体３７を設けた。
【００７８】
このため紙幣収納庫１６では、下カバー部３２に対して上カバー部３１を取り外すだけで、扉３３の軸孔３６から軸体３５を引き抜くことができ、該下カバー部３２から該扉３３（例えば扉３３Ａ）を直ちに取り外すことができる。続いて紙幣収納庫１６では、他の扉３３（例えば扉３３Ｂ）の軸体３７を下カバー部３２の軸孔３８に挿通させた上で、軸体３５を軸孔３６に挿通させながら上カバー部３１を下カバー部３２に取り付けるだけで、扉３３を組み替える作業を完了できる。
【００７９】
この結果、紙幣収納庫１６では、収納空間５０（５０Ａ又は５０Ｂ）の大きさ、具体的には前後方向の長さを極めて容易に変更することができる（図７）。例えば紙幣収納庫１６は、製造段階において出荷先が変更されて仕様も変更され、収納すべき紙幣の大きさ、特に短辺の長さが大きく変化する場合、この扉３３（３３Ａ又は３３Ｂ）を交換するだけで、それぞれの紙幣に対応することができる。
【００８０】
これに伴い、例えば短辺が比較的短い紙幣が使用される国や地域では、前後方向の長さが短い紙幣収納庫１６Ｂ（図６）に合わせて設計された、前後方向の長さを抑えた紙幣入出金機１０や現金自動預払機１を導入することができ、金融機関の店舗等において設置や保守作業に必要な面積をより小さく抑えることが可能となる。
【００８１】
これを他の観点から見れば、紙幣収納庫１６では、上回動部４１の一部分である軸体３５を上カバー部３１の下面に設け、残りの部分である軸孔３６を扉３３の上面に設けた。また紙幣収納庫１６では、下回動部４２の一部分である軸体３７を扉３３の下面に設け、残りの部分を下カバー部３２における前突出部３２Ｐの上面に設けた（図４、図５）。
【００８２】
これにより紙幣収納庫１６では、下カバー部３２から上カバー部３１を取り外すだけで、上カバー部３１及び下カバー部３２の分離を完了できると共に、上回動部４１を分解できる。引き続き紙幣収納庫１６では、下カバー部３２から扉３３を上方へ引き抜くだけで、下カバー部３２及び扉３３の分離を完了できると共に、下回動部４２も分解できる。
【００８３】
一方、各部が分離された状態の紙幣収納庫１６（図５）では、扉３３の軸体３７を下カバー部３２の軸孔３８に挿入させるだけで、下回動部４２を組み立てると共に、下カバー部３２に対し扉３３を適切な位置に合わせることができる。続いて紙幣収納庫１６では、上カバー部３１を下カバー部３２に取り付けて軸体３５を扉３３の軸孔３６に挿入させるだけで、上回動部４１を組み立てると共に、扉３３の組立作業を完了することができる。
【００８４】
このため本実施の形態による紙幣収納庫１６では、仮想的な紙幣収納庫７６（図８等）のように、後カバー部８２から取り外した前カバー部８１からさらに軸受８５、軸体８６及び扉８３を取り外し、新たな前カバー部８１に取り付ける、といった繁雑な作業を行う必要がない。
【００８５】
そのうえ紙幣収納庫１６では、上カバー部３１及び下カバー部３２の境界線（すなわち仮想的な直線Ｌ１）を、分離放出部４６の下端よりも上側に位置させた（図４（Ａ））。このため紙幣収納庫１６では、仮に上カバー部３１及び下カバー部３２の間に隙間が生じたとしても、この隙間と収納空間５０との間に分離放出部４６が位置することになるため、外部からこの隙間を介して収納空間５０内の紙幣を取り出す等の不正行為を未然に防止できる。
【００８６】
以上の構成によれば、第１の実施の形態による現金自動預払機１の紙幣収納庫１６は、上カバー部３１及び下カバー部３２の間に扉３３（３３Ａ又は３３Ｂ）を挟んだ構成とし、上カバー部３１に軸体３５を設け、下カバー部３２に軸孔３８を設け、扉３３に軸孔３６及び軸体３７を設けた。紙幣収納庫１６では、下カバー部３２に対して上カバー部３１を取り外すだけで、該下カバー部３２から該扉３３を直ちに取り外すことができ、他の扉３３を挟んだ状態で上カバー部３１を下カバー部３２に取り付けるだけで、該扉３３を組み替える作業を完了できる。これにより紙幣収納庫１６では、収納すべき紙幣が変更されて短辺の長さが変化した場合、扉３３を交換するだけで収納空間５０における前後方向の長さを容易に変更できる。
【００８７】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２）は、第１の実施の形態による紙幣入出金機１０と比較して、紙幣制御部１１及び紙幣収納庫１６に代わる紙幣制御部１１１及び紙幣収納庫１１６を有する点において相違するものの、他の点については同様に構成されている。
【００８８】
紙幣制御部１１１は、第１の実施の形態による紙幣制御部１１と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１１は、内部にＲＡＭ及びフラッシュメモリ等でなる記憶部を有しており、この記憶部に種々の情報を記憶させる。
【００８９】
紙幣収納庫１１６は、図４（Ａ）と対応する図１１に示すように、第１の実施の形態による紙幣収納庫１６と比較して、下カバー部３２に代わる下カバー部１３２を有する点において相違するものの、他の点については同様に構成されている。下カバー部１３２は、第１の実施の形態による下カバー部３２と比較して、分離放出部４６の支持手法が相違している。
【００９０】
下カバー部１３２は、作業者等の作業により、分離放出部４６を上方から装着し、又は上方へ取り外し得るようになっている。すなわち紙幣収納庫１１６では、下カバー部１３２に対して上カバー部３１が取り外されると、第１の実施の形態と同様に扉３３を取り外し得ると共に、分離放出部４６も取り外し得る状態となる。
【００９１】
この下カバー部１３２には、分離放出部４６に代えて、分離機能のみを有する分離部４６Ｐ、又は放出機能のみを有する放出部４６Ｑを装着することができる。例えば紙幣収納庫１１６は、第１の実施の形態と同様に分離放出部４６が装着された場合、外部から紙幣を取り込んで収納し得ると共に、収納している紙幣を繰り出すこともできる入出金庫として動作する。
【００９２】
一方、紙幣収納庫１１６は、分離放出部４６に代えて分離部４６Ｐが装着された場合、収納している紙幣を繰り出し得る一方で、外部から紙幣を取り込まない出金専用庫として動作する。また紙幣収納庫１１６は、分離放出部４６に代えて放出部４６Ｑが装着された場合、外部から紙幣を取り込んで収納し得る一方で、収納している紙幣を繰り出さない入金専用庫として動作する。
【００９３】
このように紙幣収納庫１１６は、収納機構部４５の上側に装着するモジュール（すなわち分離放出部４６、分離部４６Ｐ又は放出部４６Ｑ）を交換することにより、入出金庫、出金専用庫又は入金専用庫の何れとして動作するかを変更することができる。
【００９４】
このため紙幣制御部１１１は、電源投入時等のように運用を開始する前の段階で、各紙幣収納庫１１６が入出金庫、出金専用庫又は入金専用庫の何れであるかを検出し、その種類に応じた処理を行うようになっている。
【００９５】
具体的に紙幣制御部１１１は、何れか１個の紙幣収納庫１１６を選択し、まず該紙幣収納庫１１６に対して紙幣を放出するため機構（ローラ等）を動作させる指示を供給する。これに応じて紙幣収納庫１１６は、この指示に従った動作を行うと共に、各種センサによる検出結果を基に検出信号を生成して紙幣制御部１１１へ供給する。これに応じて紙幣制御部１１１は、この検出信号を基に、紙幣収納庫１１６が紙幣の放出機能を有しているか否かを把握する。
【００９６】
次に紙幣制御部１１１は、該紙幣収納庫１１６に対して紙幣を分離するため機構（ローラ等）を動作させる指示を供給する。これに応じて紙幣収納庫１１６は、この指示に従った動作を行うと共に、各種センサによる検出結果を基に検出信号を生成して紙幣制御部１１１へ供給する。これに応じて紙幣制御部１１１は、この検出信号を基に、紙幣収納庫１１６が紙幣の分離機能を有しているか否かを把握する。
【００９７】
紙幣制御部１１１は、このようにして紙幣収納庫１１６における放出機能及び分離機能の有無を把握し、これを基に該紙幣収納庫１１６が入出金庫、入金専用庫及び出金専用庫の何れであれかを検出する。さらに紙幣制御部１１１は、各紙幣収納庫１１６についても同様に入出金庫、入金専用庫及び出金専用庫の何れであれかを検出した上で、それぞれの機能に応じた処理を割り当てる。
【００９８】
以上の構成において、第２の実施の形態による現金自動預払機１０１の紙幣収納庫１１６は、第１の実施の形態による紙幣収納庫１６と同様、上カバー部３１及び下カバー部１３２の間に扉３３を挟んだ構成とし、該下カバー部１３２から該上カバー部３１を取り外すことにより、扉３３を交換し得るようにした。
【００９９】
これに加えて紙幣収納庫１１６は、上カバー部３１を取り外した状態において、下カバー部１３２に対して分離放出部４６の装着又は取り外しを容易に行い得るようにした（図１２）。すなわち紙幣収納庫１１６では、下カバー部１３２から上カバー部３１を取り外すだけで、例えば収納機構部４５のような他の部品を取り外すことなく、分離放出部４６を上方へ引き抜くようにして取り外すことができ、また該分離放出部４６等のモジュールを上方から容易に装着することもできる。
【０１００】
このため紙幣収納庫１１６では、下カバー部１３２に対して上カバー部３１を取り外すだけで、他の部品の取り外し等の作業を必要とせずに、扉３３を交換し得ると共に、分離放出部４６についても他のモジュールである分離部４６Ｐ又は放出部４６Ｑに交換し得る。これにより紙幣収納庫１１６では、例えば仕様の変更等に応じて分離機能が不要となった場合に、下カバー部１３２から上カバー部３１を取り外し、分離放出部４６を放出部４６Ｑに交換して、再び上カバー部３１を取り付ける、といった極めて容易な作業が行われるだけで、対処を完了できる。
【０１０１】
また紙幣入出金機１１０の紙幣制御部１１１は、電源投入時等のタイミングに、各紙幣収納庫１１６における分離機能及び放出機能の有無を確認するため、保守作業者等に対して、紙幣収納庫１１６の構成を変更したことに伴う各種設定の変更作業等を行わせる必要が無い。
【０１０２】
その他の点においても、紙幣収納庫１１６は、第１の実施の形態による紙幣収納庫１６と同様の作用効果を奏し得る。
【０１０３】
以上の構成によれば、第２の実施の形態による現金自動預払機１０１の紙幣収納庫１１６は、上カバー部３１及び下カバー部１３２の間に扉３３を挟んだ構成とし、さらに該下カバー部１３２に対して分離放出部４６を容易に着脱させ得るようにした。紙幣収納庫１１６では、下カバー部１３２に対して上カバー部３１を取り外すだけで、該下カバー部１３２から該扉３３を直ちに取り外すことができ、さらに分離放出部４６を容易に分離部４６Ｐ又は放出部４６Ｑに交換できる。これにより紙幣収納庫１１６では、収納すべき紙幣が変更されて短辺の長さが変化した場合、扉３３を交換するだけで収納空間５０における前後方向の長さを容易に変更でき、さらに分離放出部４６等のモジュールを交換することにより、分離機能及び放出機能のうち必要な機能のみに容易に変更できる。
【０１０４】
［３．他の実施の形態］
なお上述した第１の実施の形態においては、上カバー部３１及び下カバー部３２の境界線を、ほぼ水平である仮想的な直線Ｌ１（図４（Ａ））に沿った直線状とする場合について述べた。しかしながら本発明はこれに限らず、例えば所定形状の境界線により分割された軸体３５の近傍部分のみを上カバー部３１とする等、種々の形状でなる境界線により上カバー部３１及び下カバー部３２を分割しても良い。或いは、これと反対に、軸孔３８の近傍部分のみを下カバー部３２とし、これ以外の部分を上カバー部３１としても良い。この場合、上カバー部３１から下カバー部３２を取り外すことにより、扉３３を交換することができる。さらには、３個以上に分割されたカバー部により紙幣収納庫１６の周囲を覆うようにしても良い。第２の実施の形態についても同様である。例えば第２の実施の形態では、軸体３５の近傍部分と受渡部４６Ｄの近傍部分とを別部品とする場合に、扉３３の交換時には軸体３５の近傍部分を取り外し、分離放出部４６等のモジュールを交換する場合には受渡部４６Ｄの近傍も取り外すようにすることが考えられる。
【０１０５】
また上述した第１の実施の形態においては、上回動部４１及び下回動部４２において、上側に位置する部材に軸体３５及び３７を設け、下側に位置する部材に軸孔３６及び３８を設ける場合について述べた（図４及び図５）。しかしながら本発明はこれに限らず、例えば扉３３の上下に軸体をそれぞれ設け、上カバー部３１及び下カバー部３２にそれぞれ軸孔を設ける等、軸体及び軸孔を適宜入れ替えた構成としても良い。さらには、一方を軸体として他方を軸孔とする組合せに限らず、例えば一方を円錐形状とし他方をすり鉢形状とした組合せ等、他の種々の組合せにより上回動部４１及び下回動部４２をそれぞれ構成しても良い。要は、上カバー部３１側の部材及び扉３３側の部材の組合せ、並びに該扉３３側の部材及び下カバー部３２側の部材の組合せにより、該上カバー部３１及び下カバー部３２に対して扉３３を回動可能に支持でき、且つ該下カバー部３２から該上カバー部３１を取り外すだけで扉３３を取り外すことができれば良い。第２の実施の形態についても同様である。
【０１０６】
さらに上述した第１の実施の形態においては、下カバー部３２を前側面のうち下端近傍以外の部分と上側面とを開放した形状として、開口部３０（図４（Ａ））の上辺部分を上カバー部３１により構成し、他の各辺を下カバー部３２により構成する場合について述べた。しかしながら本発明はこれに限らず、例えば下カバー部３２の一部を前側面のうち上端近傍に設けることにより、開口部３０を形成する全ての辺を下カバー部３２により構成しても良い。この場合、開口部３０の上辺部分が下カバー部３２と一体に形成されるため、その強度を高めることができ、収納空間５０内に収納された紙幣を不正に取り出そうとする不正行為をより確実に防止できる。第２の実施の形態についても同様である。
【０１０７】
さらに上述した第１の実施の形態においては、扉３３として前後方向に長い扉３３Ａと、これよりも前後方向に短い扉３３Ｂの２種類を用意する場合について述べた（図５）。しかしながら本発明はこれに限らず、前後方向の長さが互いに相違する３種類以上の扉３３を用意し、収納すべき紙幣における短辺の長さに合わせてこれらを適宜交換しても良い。第２の実施の形態についても同様である。
【０１０８】
さらに上述した第１の実施の形態においては、前後方向の長さが異なる２種類の扉３３（３３Ａ及び３３Ｂ）を用意し、該扉３３を交換することにより収納空間５０の大きさを変更する場合について述べた（図５）。しかしながら本発明はこれに限らず、例えば扉３３の内側面３３ＡＦ（図４（Ａ））等における上寄りに、分離放出部４６から放出された紙幣の衝撃を吸収するビルストッパを設ける場合に、扉自体の大きさを共通としながら該ビルストッパの大きさや形状が相違する複数種類の扉３３を用意する等、様々な機能や形状等が相違する様々な扉３３を用意し、これらを適宜交換するようにしても良い。第２の実施の形態についても同様である。
【０１０９】
さらに上述した第２の実施の形態においては、下カバー部１３２に対し分離放出部４６を上方へ引き抜き、また該分離放出部４６を上方から装着させる場合について述べた（図１１及び図１２）。しかしながら本発明はこれに限らず、例えば下カバー部１３２に対し分離放出部４６を前方へ引き抜き、また該分離放出部４６を前方から装着させる等、他の方向から着脱させるようにしても良い。
【０１１０】
さらに上述した第２の実施の形態においては、下カバー部１３２に装着可能なモジュールとして分離放出部４６、分離部４６Ｐ及び放出部４６Ｑの３種類を用意する場合について述べた。しかしながら本発明はこれに限らず、例えばこれらの３種類に加えて、高機能なモータが組み込まれることにより高速の分離動作や放出動作が可能であり、製造コストも上昇するような高機能分離放出部を設ける等、他の種々のモジュールを用意し、適宜交換するようにしても良い。要は、仕様に合わせて必要な機能を有するモジュールに交換できれば良い。またこの場合、紙幣収納庫１１６に実装されているモジュールの種類を各種センサの検出結果や種々の情報等によって紙幣制御部１１１が把握できることが望ましい。
【０１１１】
さらに上述した第２の実施の形態においては、紙幣収納庫１１６においてモータ等を動作させ、得られた検出結果を基に、紙幣制御部１１１が放出機能及び分離機能の有無をそれぞれ把握する場合について述べた。しかしながら本発明はこれに限らず、例えば紙幣収納庫の各モジュール（分離放出部４６等）にフラッシュメモリ等の記憶部を設けると共に放出機能や分離機能の有無を表す機能情報を記憶させておき、該モジュールから送信される該機能情報を基に、紙幣制御部１１１が各紙幣収納庫１１６における各機能の有無を把握しても良い。
【０１１２】
さらに上述した第１の実施の形態においては、顧客との間で媒体としての紙幣に関する取引処理を行う現金自動預払機１の紙幣入出金機１０に装着される紙幣収納庫１６に本発明を適用する場合について述べた。しかしながら本発明はこれに限らず、例えば各種金券や証券等、或いは入場券や乗車券のような種々の紙葉状の媒体を取引対象として取り扱う種々の装置に本発明を適用しても良い。第２の実施の形態についても同様である。
【０１１３】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１１４】
さらに上述した第１の実施の形態においては、第１カバー部としての上カバー部３１と、第２カバー部としての下カバー部３２と、開口部としての開口部３０と、第１回動支持部としての軸体３５と、第２回動支持部としての軸孔３８と、扉としての扉３３とによって媒体収納庫としての紙幣収納庫１６を構成する場合について述べた。しかしながら本発明はこれに限らず、その他種々の構成でなる第１カバー部と、第２カバー部と、開口部と、第１回動支持部と、第２回動支持部と、扉とによって媒体収納庫を構成しても良い。
【産業上の利用可能性】
【０１１５】
本発明は、例えば使用者との間で紙幣に関する入金取引や出金取引を行う現金自動預払機に組み込まれる紙幣収納庫で利用できる。
【符号の説明】
【０１１６】
１、１０１……現金自動預払機、１０、１１０……紙幣入出金機、１１、１１１……紙幣制御部、１３……搬送部、１６、１１６……紙幣収納庫、１６Ｈ……開口部、３１……上カバー部、３１Ｈ……孔部、３２、１３２……下カバー部、３２Ｐ……前突出部、３３、３３Ａ、３３Ｂ……扉、３３ＡＦ、３３ＢＦ……前内側面、３５、３７……軸体、３６、３８……軸孔、４１……上回動部、４２……下回動部、４５……収納機構部、４５Ｒ……後内側面、４６……分離放出部、４６Ｄ……受渡部、４６Ｐ……分離部、４６Ｑ……放出部、５０、５０Ａ、５０Ｂ……収納空間。
【図１】
2018185583.tif 000003
【図２】
2018185583.tif 000004
【図３】
2018185583.tif 000005
【図４】
2018185583.tif 000006
【図５】
2018185583.tif 000007
【図６】
2018185583.tif 000008
【図７】
2018185583.tif 000009
【図８】
2018185583.tif 000010
【図９】
2018185583.tif 000011
【図１０】
2018185583.tif 000012
【図１１】
2018185583.tif 000013
【図１２】
2018185583.tif 000014